(57)【要約】【課題】連続番組の大容量メディアからリムーバブルメディアへのダビングを適切なタイミングで行い、ユーザの使い勝手を向上させた記録読取装置を提供する。【解決手段】連続番組の録画が終了すると、制御部２は、各連続番組についてその全ての累積容量を算出する。次に、制御部２は、次の回の連続番組の録画で消費する消費容量を推定する。そして、制御部２は、算出した累積容量と推定した消費容量との合計がＤＶＤ１００の記憶容量（４、７ＧＢ）を超えるかどうか判断する。そして、合計がＤＶＤ１枚分の容量を超えると判断すると、制御部２は、ＨＤ３０Ａに記録されている連続番組をＤＶＤ１００に記録するダビング処理を実行する。これにより、連続番組の容量がＤＶＤ１枚分の容量に達した適切なタイミングで、連続番組ＣがＨＤ３０ＡからＤＶＤ１００にダビングされる。【選択図】  図４
2009026433.tif 000002
【特許請求の範囲】
【請求項１】
選局されているチャンネルで放送されているテレビ番組のテレビ放送信号と、該テレビ番組の番組名および放送時間を含む番組情報と、を受信する受信手段と、
前記受信手段で受信された前記テレビ放送信号および前記番組情報に基づいて前記テレビ番組を第１のメディアに録画する録画処理を、設定された設定条件で行うとともに、前記第１のメディアから前記テレビ番組を読取る第１の記録手段と、
装置本体に対して着脱自在な第２のメディアに前記テレビ番組を記録する第２の記録手段と、を備える記録読取装置において、
前記両記録手段を制御するとともに、前記第１のメディアに録画された前記テレビ番組の内の、複数回に渡って放送されるシリーズものの連続番組について、その全ての回の累積容量を算出する制御手段を備え、
前記制御手段は、
前記連続番組の録画終了後、その次の回の前記連続番組の録画で消費する消費容量を推定し、推定した前記消費容量と前記累積容量との合計が前記第２のメディアの記憶容量を超えるかどうか判断し、
前記合計が前記第２のメディアの記憶容量を超える場合、前記第１のメディアに記録されている前記連続番組を前記第２のメディアに記録するダビング処理を実行する記録読取装置。
【請求項２】
前記設定条件は、前記第１のメディアに録画する時の前記連続番組の録画画質を含み、
前記制御手段は、前記番組情報に含まれる次の回の前記連続番組の前記放送時間と、現在設定されている前記録画画質と、に基づいて、前記消費容量を推定する請求項１に記載の記録読取装置。
【請求項３】
前記ダビング処理が実行される前に、前記ダビング処理を実行するかどうかの選択を受付ける選択手段を備え、
前記制御手段は、前記選択手段における選択結果に応じて動作する請求項１又は２に記載の記録読取装置。
【請求項４】
前記ダビング処理が実行される前に、前記ダビング処理を実行するかどうかのメッセージを表示する表示手段を備え、
前記選択手段は、前記表示手段で前記メッセージが表示された状態で、前記選択を受付ける請求項３に記載の記録読取装置。
【請求項５】
前記制御手段は、前記ダビング処理により前記第２のメディアに記録した、前記第１のメディア中に残る前記連続番組を、消去するよう前記第１の記録手段に指示する請求項１から４のいずれかに記載の記録読取装置。
【請求項６】
前記第１のメディアは、ハードディスクであり、
前記第２のメディアは、光ディスクである請求項１から５のいずれかに記載の記録読取装置。
【請求項７】
前記制御手段は、前記ダビング処理が終了すると、前記光ディスクを物理的および論理的にROMタイプの光ディスクに近づけるファイナライズ処理を前記光ディスクに施すよう前記第２の記録手段に指示する請求項６に記載の記録読取装置。
【発明の詳細な説明】
【技術分野】
【０００１】
この発明は、放送されるテレビ番組を受信し、ＨＤ等の大容量メディアに録画する記録読取装置に関し、特に、連続番組を大容量メディアからＤＶＤ等のリムーバブルメディアにダビングする記録読取装置に関する。
【背景技術】
【０００２】
従来、地上波放送、衛星放送、ケーブル放送、インターネットテレビ放送等のテレビ放送により放送されるテレビ番組をＨＤ（Hard Disk）等の大容量メディアに録画するとともに、テレビ番組を大容量メディアからＤＶＤ（Digital Versatile Disk）等のリムーバブルメディアにダビングする記録読取装置があった。このような記録読取装置を代表して、ＨＤ付きＤＶＤレコーダについて以下説明する。
【０００３】
近年のＨＤ付きＤＶＤレコーダには、さらに、ユーザが、複数回に渡って放送されるシリーズものの連続番組の録画予約を簡単に行える連続番組録画予約機能がある。連続番組には、例えば毎週同じ時間帯に放送される連続ドラマが挙げられる。その機能を有するＨＤ付きＤＶＤレコーダは、テレビ番組とともに放送局から伝送される番組情報を利用して、ユーザが視聴又は録画しているテレビ番組を特定し、そのテレビ番組について次回以降の録画予約を簡単に行う。この番組情報は、数時間先のチャンネル内容（番組名や放送時間含む）や番組内容等を示す情報である。そして、その録画予約に基づいて、ＨＤ付きＤＶＤレコーダは、例えば毎週同じ時間帯に放送される連続ドラマを録画していく。
【０００４】
多くのユーザは、複数回の連続番組をＨＤに録り溜めると、長期保存等の目的で、複数回の連続番組をＨＤからＤＶＤにダビングしていた。
なお、特許文献１では、データ記録装置が提案されている。
【特許文献１】特開２００６−１１４１８７公報
【発明の開示】
【発明が解決しようとする課題】
【０００５】
しかしながら、上記複数回の連続番組をＨＤに録り溜めている間、ＤＶＤ１枚分の容量が溜まっているのかどうか、ユーザは分かり難い。そのため、ユーザは、ダビングのタイミングを誤り、ＤＶＤ１枚分の容量が十分に溜まっていない段階で頻繁にＤＶＤへダビングしたり、ＤＶＤ１枚分の容量が溜まっているのにＨＤにほったらかしにしたりしていた。
よって、従来の記録読取装置では、ＤＶＤの管理が困難になったり、ＨＤの記憶管理が困難になったりする問題があった。従って、従来の記録読取装置は、ユーザの使い勝手が悪かった。
【０００６】
本発明はこのような従来の課題を解決しようとするものであり、連続番組の大容量メディアからリムーバブルメディアへのダビングを適切なタイミングで行い、ユーザの使い勝手を向上させた記録読取装置を提供することを目的とする。
【課題を解決するための手段】
【０００７】
本発明の記録読取装置は、前記課題を解決するために以下の構成を備えている。
【０００８】
（１）選局されているチャンネルで放送されているテレビ番組のテレビ放送信号と、該テレビ番組の番組名および放送時間を含む番組情報と、を受信する受信手段と、
前記受信手段で受信された前記テレビ放送信号および前記番組情報に基づいて前記テレビ番組を第１のメディアに録画する録画処理を、設定された設定条件で行うとともに、前記第１のメディアから前記テレビ番組を読取る第１の記録手段と、
装置本体に対して着脱自在な第２のメディアに前記テレビ番組を記録する第２の記録手段と、を備える記録読取装置において、
前記両記録手段を制御するとともに、前記第１のメディアに録画された前記テレビ番組の内の、複数回に渡って放送されるシリーズものの連続番組について、その全ての回の累積容量を算出する制御手段を備え、
前記制御手段は、
前記連続番組の録画終了後、その次の回の前記連続番組の録画で消費する消費容量を推定し、推定した前記消費容量と前記累積容量との合計が前記第２のメディアの記憶容量を超えるかどうか判断し、
前記合計が前記第２のメディアの記憶容量を超える場合、前記第１のメディアに記録されている前記連続番組を前記第２のメディアに記録するダビング処理を実行する。
【０００９】
この構成において、第１のメディアは、大容量メディアであり、例えばハードディスクである。一方、第２のメディアは、記録可能なリムーバブルメディアであり、例えば光ディスク、半導体メディアである。また、連続番組には、例えば毎週同じ時間帯に放送される連続ドラマが挙げられる。また、番組情報は、テレビ番組の放送予定を示す情報であり、具体的には数時間先のチャンネル内容（番組名や放送時間含む）や番組内容等を示している。この番組情報から電子番組表（ＥＰＧ）が作成される。
【００１０】
この構成における記録読取装置には、複数回に渡って放送されるシリーズものの連続番組の録画予約を簡単に行える連続番組録画予約機能がある。この機能を有する記録読取装置は、テレビ番組とともに放送局から伝送される番組情報を利用して、ユーザが視聴又は録画しているテレビ番組を特定し、そのテレビ番組について次回以降の録画予約を簡単に行う。そして、その録画予約に基づいて、記録読取装置は、例えば毎週同じ時間帯に放送される連続ドラマを録画していく。これにより、ユーザは、複数回の連続番組を第１のメディアに録り溜めていく。そして、ユーザは、複数回の連続番組を第１のメディアに録り溜めている間に、ダビング用に１枚の第２のメディアを用意して、第２の記録手段にセットする。
そして、連続番組の録画終了後に、消費容量と累積容量との合計が第２のメディアの容量を超えると、このタイミングで、制御手段は、上記両制御手段を制御して、連続番組の第１のメディアから第２のメディアへのダビングを行う。
そのため、連続番組の第１のメディアから第２のメディアへのダビングを、第２のメディア１枚分の容量が溜まった適切なタイミングで行うことができる。よって、ユーザが、ダビングのタイミングを誤り、第２のメディア１枚分の容量が十分に溜まっていない段階で頻繁に第２のメディアへダビングしたり、第２のメディア１枚分の容量が溜まっているのに第１のメディアにほったらかしにしたりすることが無くなる。よって、第２のメディアの管理が容易になる。また、第２のメディアに連続番組をダビングすれば該連続番組を第１のメディアから消去できるため、第１のメディアの記憶管理も容易になる。従って、ユーザの使い勝手を向上させることができる。
【００１１】
（２）前記設定条件は、前記第１のメディアに録画する時の前記連続番組の録画画質を含み、
前記制御手段は、前記番組情報に含まれる次の回の前記連続番組の前記放送時間と、現在設定されている前記録画画質と、に基づいて、前記消費容量を推定する。
【００１２】
この構成では、上記（１）における消費容量の推定方法を明示している。
【００１３】
（３）前記ダビング処理が実行される前に、前記ダビング処理を実行するかどうかの選択を受付ける選択手段を備え、
前記制御手段は、前記選択手段における選択結果に応じて動作する。
【００１４】
この構成によれば、ユーザは、ダビングを実行するかどうかを自分の使用方法に応じて選択できる。従って、ユーザの使い勝手を一層向上させることができる。
また、制御手段が選択結果に応じて動作するので、このタイミングで、第２のメディアをユーザにセットさせることもできる。これにより、第２のメディアを予めセットしなくとも済む。
【００１５】
（４）前記ダビング処理が実行される前に、前記ダビング処理を実行するかどうかのメッセージを表示する表示手段を備え、
前記選択手段は、前記表示手段で前記メッセージが表示された状態で、前記選択を受付ける。
【００１６】
この構成において、ユーザは、表示手段におけるメッセージを見て、ダビングを実行するかどうか自分の使用方法に応じて選択手段で選択できる。また、ユーザは、このメッセージを見て、ダビングを希望する場合に、第２のメディアをセットする。
【００１７】
（５）前記制御手段は、前記ダビング処理により前記第２のメディアに記録した、前記第１のメディア中に残る前記連続番組を、消去するよう前記第１の記録手段に指示する。
【００１８】
第２のメディアにダビングした連続番組は、第１のメディア中に残していても無駄である。
この構成においては、第１のメディア中に残る連続番組を消去している。
これにより、その連続番組が自動的に消去されるので、ユーザは、その連続番組の消去により空く第１のメディアのスペースを有効利用できる。従って、第１のメディアの記憶管理が一層容易になり、ユーザの使い勝手を一層向上させることができる。
【００１９】
（６）前記第１のメディアは、ハードディスクであり、
前記第２のメディアは、光ディスクである。
【００２０】
この構成において、光ディスクは、例えばＣＤ、ＨＤＤＶＤを含むＤＶＤ、ブルーレイディスクである。
【００２１】
（７）前記制御手段は、前記ダビング処理が終了すると、前記光ディスクを物理的および論理的にROMタイプの光ディスクに近づけるファイナライズ処理を前記光ディスクに施すよう前記第２の記録手段に指示する。
【００２２】
合計が光ディスクの記憶容量を超える場合、ユーザは、次の回以降の連続番組を光ディスクに録画できない。また、ダビングした連続番組以外のデータを光ディスクの余りの領域に記録すると、光ディスクの記録内容が複雑になり、光ディスクの管理が困難になってしまう。
この構成においては、光ディスクに対してファイナライズ処理を強制的に行っている。光ディスクは、このファイナライズ処理において、データの記録範囲や記録状態に関する情報が作成される。このファイナライズ処理により、光ディスクは、再生互換性を持ち、他の光ディスク再生装置においても再生可能となる。
以上より、ダビング終了後、光ディスクが強制的にファイナライズされるので、ダビングした連続番組以外のデータの光ディスクへの記録により、光ディスクの記録内容が複雑になって光ディスクの管理が困難になってしまうのを防止できる。従って、ユーザの使い勝手を一層向上させることができる。
【発明の効果】
【００２３】
この発明によれば、連続番組の第１のメディアから第２のメディアへのダビングを、第２のメディア１枚分の容量が溜まった適切なタイミングで行うことができる。従って、ユーザの使い勝手を向上させることができる。
【発明を実施するための最良の形態】
【００２４】
以下、本発明の実施形態であるＨＤ付きＤＶＤレコーダについて説明する。
【００２５】
図１は、本発明の実施形態であるＨＤ付きＤＶＤレコーダの構成を示すブロック図である。ＨＤ付きＤＶＤレコーダ１は、記録指示に応じて入力されたデータを所定のメディアに記録し、且つ再生指示に応じて既に記録されているデータを再生する記録再生部１０４と、記録再生部１０４への記録動作、記録再生部１０４からの再生動作、及び以下に説明する各部の動作を制御する制御部２と、を備える。ＨＤ付きＤＶＤレコーダ１には、テレビジョン３００が接続されている。
【００２６】
記録再生部１０４は、ＤＶＤ１００（Ｄｉｇｉｔａｌ  Ｖｅｒｓａｔｉｌｅ  Ｄｉｓｋ）に対する（テレビ番組等の）コンテンツデータの記録及び読取を行う光ディスクドライブ２０と、内蔵するＨＤ３０Aに対する（テレビ番組等の）コンテンツデータの記録及び読取を行うＨＤＤ（ハードディスクドライブ）３００と、データプロセッサ４０と、を備える。
ＤＶＤ１００は、追記録可能な追記型のＤＶＤ−Ｒや書換え可能な書換型のＤＶＤ−ＲＡＭ等の記録可能光ディスクとする。また、ＤＶＤ１００は片面一層式であり、その全容量は４、７ＧＢ（ギガバイト）である。
なお、この実施形態では、ＤＶＤ１００で説明しているが、実施の際は、ブルーレイディスクでも構わない。
【００２７】
さらに、ＨＤ付きＤＶＤレコーダ１は、チューナ１０２と、エンコーダ１０３と、デコーダ１０６と、出力部１０７と、ＯＳＤ生成部１０８と、ＴＶ（テレビジョン）３００が接続されるＡＶ出力端子１０９と、ユーザの入力操作を受付けるリモコン２００からの操作信号を受信する受信部１１０と、記憶部１１１と、を備える。
なお、チューナ１０２が、本発明の「受信手段」に相当する。また、ＨＤ３０Aが、本発明の「第１のメディア」に相当する。また、ＤＶＤ１００が、本発明の「第２のメディア」に相当する。また、ＨＤＤ３０が、本発明の「第１の記録手段」に相当する。また、光ディスクドライブ２０が、本発明の「第２の記録手段」に相当する。また、リモコン２００が、本発明の「選択手段」に相当する。また、テレビジョン３００が、本発明の「表示手段」に相当する。また、制御部２が、本発明の「制御手段」に相当する。
【００２８】
まず、録画時について説明する。
チューナ１０２は、例えば放送局から配信されるテレビ放送信号が受信されるアンテナ（不図示）と接続されている。そして、チューナ１０２は、アンテナで受信したテレビ放送信号から選択されているチャンネルで放送されているテレビ番組のテレビ放送信号を抽出し、エンコーダ１０３に出力する。さらに、チューナ１０２は、数時間先のチャンネル内容（番組名や放送時間含む）や番組内容等を示す番組情報を受信し、エンコーダ１０３に出力する。
なお、番組情報は、例えばＰＳＩ／ＳＩであり、電子番組表（ＥＰＧ）は、この番組情報に基づいて作成される。
【００２９】
エンコーダ１０３は、チューナ１０２から入力されたテレビ放送信号から映像信号、音声信号を分離する。そして、エンコーダ１０３は、映像信号や音声信号を（例えばＭＰＥＧ２で）エンコードして圧縮し、コンテンツデータとして、データプロセッサ４０に出力する。さらに、エンコーダ１０３は、番組情報を制御部２に出力する。
なお、エンコーダ１０３は、ユーザにより予め設定された設定条件の内の画質モードに応じて上記圧縮率を調整する。画質モードには、例えば、９Ｍbpsで録画される最高画質のＨＱ(High Quality)モード、２Ｍbpsで録画されるＳＰ(Standard Play)モード、０、５Ｍbpsで録画される低画質のＬＰ(Long Play)モードがある。
【００３０】
データプロセッサ４０は、制御部２の制御に従って、エンコーダ１０３から出力されたコンテンツデータを、光ディスクドライブ２０とＨＤＤ３０とのいずれか一方に供給する。
なお、ダビング時において、データプロセッサ４０は、制御部２の制御に従って、光ディスクドライブ２０から読み出されたデータをＨＤＤ３０に供給したり、ＨＤＤ３０から読み出されたデータを光ディスクドライブ２０に供給したりする。
【００３１】
次に、再生時について説明する。
データプロセッサ４０は、ＤＶＤ１００の映像音声データを光ディスクドライブ２０から取り込んで、デコーダ１０６に供給する。または、データプロセッサ４０は、ＨＤ３０Ａの映像音声データをＨＤＤ３０から取り込んで、デコーダ１０６に供給する。
【００３２】
デコーダ１０６は、記録再生部１０４から出力された映像音声データをデコードして伸長する。デコーダ１０６は、デコードされた映像音声データを、テレビ等の再生装置に供給するためのＡＶ出力端子１０９が接続されている。
【００３３】
ＯＳＤ生成部１０８は、制御部２から入力されるデータに基づいて、ＯＳＤ（on screen display）画像を示すＯＳＤ画像データを生成する。そして、ＯＳＤ生成部１０８は、ＯＳＤ画像データを出力部１０７に出力する。
【００３４】
出力部１０７は、ＯＳＤ画像データおよび映像データを入力して、制御部２の制御のもとにいずれかを選択的に受取り、ＡＶ出力端子１０９を介してＴＶ３００に出力する。または、出力部１０７は、制御部２の制御のもとに、ＯＳＤ画像データと映像音声データ中の映像データとを合成し、ＡＶ出力端子１０９を介してＴＶ３００に出力する。さらに、出力部１０７は、映像音声データ中の音声データも、ＴＶ３００に出力する。
【００３５】
以上により、ＴＶ３００は、ＡＶ出力端子１０９を介して与えられる映像データに基づく画面、与えられる合成画像信号に基づく画面、または、与えられるＯＳＤ画像データに基づくＯＳＤのみの画面を再生する。さらに、音声信号も、ＴＶ３００に設けられているスピーカで処理され、音声がそのスピーカから再生される。この結果、ユーザは、このＴＶ３００において、テレビ番組を視聴する。
【００３６】
記憶部１１１は、例えばＥＥＰＲＯＭで構成される。記憶部１１１は、装置本体各部の制御方法が記述された制御プログラムを格納する。また、記憶部１１１は、設定された録画予約の内容や、設定された設定条件を記憶する。
【００３７】
リモコン２００は、ユーザからの入力操作を受付ける複数のキーと、押下されたキーに応じた操作信号（コマンド）を送信する赤外LEDと、を有している（いずれも不図示）。複数のキーには、録画指示を受付ける録画キーと、再生指示を受付ける再生キーと、後述の図３Ｓ５においてダビングを実行するかどうかの選択を受付ける選択キーと、が含まれる。ユーザは、これらのキー操作により、録画、再生、ダビング、設定条件、及び録画予約の設定等を行う。リモコン２００は、操作されたキーに応じた制御信号を赤外LEＤから送信する。
受信部１１０は、リモコン２００から送信された操作信号を受信し、その操作信号を制御部２へ伝送する。
【００３８】
制御部２は、例えばマイクロコンピュータで構成される。制御部２は、記憶部１１１に記憶されている制御プログラムで処理されるデータを展開するためのワークフィールドとしてのＲＡＭ（不図示）と、現在時刻を計時するタイマー回路（不図示）と、を内蔵する。
制御部２は、リモコン２００から送信された操作信号に従って、ＨＤ３０Ａ及びＤＶＤ１００に対するデータの記録動作、読取動作等を制御する。
また、制御部２は、エンコーダ１０３から伝送されてきた番組情報を、記憶部１１１に記録する。
なお、ＥＰＧの表示が指示されると、制御部２は、その番組情報を記憶部１１１から読み出し、その番組情報に基づいてＥＰＧを作成する。詳述すると、制御部２は、その番組情報に基づいてＥＰＧのＯＳＤをＯＳＤ生成部１０８に生成させ、ＥＰＧをテレビジョン３００で表示する。
【００３９】
ＨＤ付きＤＶＤレコーダ１には、さらに、ユーザが、複数回に渡って放送されるシリーズものの連続番組の録画予約を簡単に行える連続番組録画予約機能がある。連続番組には、例えば毎週同じ時間帯に放送される連続ドラマが挙げられる。その機能を有するＨＤ付きＤＶＤレコーダ１は、テレビ番組とともに放送局から伝送される上述の番組情報を利用して、ユーザが視聴又は録画しているテレビ番組を特定し、そのテレビ番組について次回以降の録画予約を簡単に行う。そして、その録画予約に基づいて、ＨＤ付きＤＶＤレコーダ１は、例えば毎週同じ時間帯に放送される連続ドラマＣをＨＤ３０Ａに録画していく（図２参照）。これにより、ユーザは、複数回の連続番組をＨＤ３０Ａに録り溜めていく。ここで、ＨＤＤ３０は番組情報に基づいてＨＤ３０Ａに録画していく。これにより、複数回の連続番組は、関連付けられてＨＤ３０Ａに録画される。
【００４０】
図２は、ＨＤ３０Ａに録画されたテレビ番組の内容を示す図である。番組Ａは、日曜日の毎日同じ時間帯に３０分放送されるアニメ番組である。番組Ｂは、毎月同じ時間帯に１時間放送されるドキュメント番組である。番組Ｃは、毎週同じ時間帯に３０分放送される連続ドラマである。
【００４１】
ここで、ユーザは、複数回の連続番組をＨＤ３０Ａに録り溜めている間に、書換型であれば１枚のＤＶＤ１００をダビング用に用意して、又は追記型であれば１枚の空のＤＶＤ１００をダビング用に用意して、光ディスクドライブ２０にセットする。この際、多くのユーザは、ＤＶＤの管理を容易にするために、保存する連続番組の種類毎に（保存する連続番組の種類に応じて）ＤＶＤを用意する。例えば、ユーザは、アニメＡを保存するための第１のＤＶＤ、ドキュメント番組Ｂを保存するための第２のＤＶＤ、連続ドラマＣを保存するための第３のＤＶＤ、等を用意する。
【００４２】
図３は、本発明の実施形態であるＨＤ付きＤＶＤレコーダの制御部の動作を示すフローチャートである。この動作は、各回の連続番組の録画が終了した後の動作である。具体的には、この動作は、例えば連続番組の録画終了直後、連続番組の録画が終了した後で次の回の連続番組をユーザが録画予約する時、の動作である。
【００４３】
まず、制御部２は、各連続番組についてその全ての累積容量を算出する（Ｓ１）。例えば、連続番組Ａの１回目から６回目までの全ての回の累積容量が３、０ＧＢであることが算出される。また、連続番組Ｂの１回目から３回目までの全ての回の累積容量が１、０ＧＢであることが算出される。また、連続番組Ｃの１回目から８回目までの全ての回の累積容量が４、６ＧＢであることが算出される。
なお、複数回の連続番組は、関連付けられてＨＤ３０Ａに録画されるため、制御部２は、ＨＤ３０Ａに録画されている複数のテレビ番組の中から連続番組を識別できる。
【００４４】
次に、制御部２は、次の回の連続番組の録画で消費する消費容量を、設定されている画質モードと、次の回の連続番組の放送時間と、に基づいて推定する（Ｓ２）。例えば設定されている画質モードがＬＰモードであって３０分番組の番組Ｃであれば、「０、５（Ｍbps）×1800（ｓ）」の式で消費容量（０、９ＧＢ）を算出（推定）する。
なお、この実施形態では、画質モードと、放送時間と、に基づいて消費容量を推定しているが、実施の際は、これ以外の式で算出しても構わない。また、ＣＭカット分を考慮してその分の容量を上記消費容量から引いても良い。
【００４５】
そして、制御部２は、上記Ｓ１で算出した累積容量と上記Ｓ２で推定した消費容量との合計がＤＶＤ１００の記憶容量（４、７ＧＢ）を超えるかどうか判断する（Ｓ３）。番組Ｃでは、累積容量が４、６ＧＢで消費容量が０、９ＧＢであるため、その合計がＤＶＤ１００の記憶容量（４、７ＧＢ）を超える。
なお、この実施形態では、片面一層式のＤＶＤ１００が光ディスクドライブ２０にセットされているため４、７ＧＢで判断しているが、実施の際は、これに限定されない。例えば片面二層式のＤＶＤであれば、制御部２は、９、４ＧＢで判断する。ここで、光ディスクドライブ２０にセットされたＤＶＤの記憶容量は、ＤＶＤの種別を示す記録管理情報を読取ることにより把握できる。
【００４６】
Ｓ３において合計がＤＶＤ１枚分の容量を超えないと判断すると、制御部２は、本処理を終了する。
【００４７】
逆に、Ｓ３において合計がＤＶＤ１枚分の容量を超えると判断すると、制御部２は、ダビングを実行するかどうかの案内メッセージをＯＳＤで表示する（Ｓ４）。ユーザは、この案内メッセージを見て、ダビングを実行するかどうか自分の使用方法に応じて選択キーで選択する。
なお、Ｓ４のタイミングで、ＤＶＤ１００が光ディスクドライブ２０にセットされていなければ、ＤＶＤ１００をユーザにセットさせても良い。この場合、ユーザは、この案内メッセージを見て、ダビングを希望する場合に、ＤＶＤ１００をセットする。これにより、ＤＶＤ１００を予めセットしなくとも済む。
【００４８】
ダビングの実行が指示されなければ（Ｓ５）、制御部２は、本処理を終了する。
【００４９】
一方、ダビングの実行が指示されると（Ｓ５）、制御部２は、ＨＤ３０Ａに記録されている連続番組をＤＶＤ１００に記録するダビング処理を実行する（Ｓ６）。これにより、連続番組ＣがＨＤ３０ＡからＤＶＤ１００にダビングされる（図４参照）。
図４は、連続番組ＣをＨＤ３０ＡからＤＶＤ１００にダビングした様子を示す図である。
【００５０】
そして、ダビングが終了すると（Ｓ７）、制御部２は、ファイナライズ処理をＤＶＤ１００に施すよう光ディスクドライブ２０に指示する（Ｓ８）。Ｓ８を設けた理由は、具体的には９回目以降の連続番組をＤＶＤ１００に録画できないためである。また、連続番組Ｃ以外のデータをＤＶＤ１００の余りの領域に記録すると、ＤＶＤ１００の記録内容が複雑になり、ＤＶＤ１００の管理が困難になってしまうためである。ファイナライズ処理とは、物理的および論理的にROMタイプの光ディスクに近づける処理である。ＤＶＤ１００は、このファイナライズ処理において、データの記録範囲や記録状態に関する情報が作成される。このファイナライズ処理により、ＤＶＤ１００は、再生互換性を持ち、他のＤＶＤ再生装置においても再生可能となる。
【００５１】
また、ファイナライズ終了後、制御部２は、ダビング処理によりＤＶＤ１００に記録した、ＨＤ３０Ａ中に残る連続番組を、消去するようＨＤＤ３０に指示する（Ｓ９）。この実施形態では、番組Ｃが自動的に消去される。そして、制御部２は、本処理を終了する。Ｓ９を設けた理由は、主に２つある。まず、１つ目は、ＤＶＤ１００にダビングした連続番組はＨＤ３０Ａ中に残していても無駄であるためである。また、２つ目は、ダビング後、ユーザが手動により消去することが多いため、その手間を省く目的からである。
【００５２】
以上より、連続番組のＨＤ３０ＡからＤＶＤ１００へのダビングを、ＤＶＤ１枚分の容量が溜まった適切なタイミングで行うことができる。そのため、ユーザが、ダビングのタイミングを誤り、ＤＶＤ１枚分の容量が十分に溜まっていない段階で頻繁にＤＶＤ１００へダビングしたり、ＤＶＤ１枚分の容量が溜まっているのにＨＤ３０Ａにほったらかしにしたりすることが無くなる。よって、ＤＶＤの管理が容易になる。また、ＤＶＤに連続番組をダビングすれば該連続番組をＨＤ３０Ａから消去できるため、ＨＤ３０Ａの記憶管理も容易になる。従って、ＨＤ付きＤＶＤレコーダ１はユーザの使い勝手を向上させることができる。
【００５３】
また、ダビングを実行するかどうか自分の使用方法に応じて選択できるので、ユーザの使い勝手を一層向上させることができる。
また、ダビング終了後、ＤＶＤ１００が強制的にファイナライズされるので、ダビングした連続番組以外のデータのＤＶＤ１００への記録により、ＤＶＤ１００の記録内容が複雑になってＤＶＤ１００の管理が困難になってしまうのを防止できる。従って、ユーザの使い勝手を一層向上させることができる。
また、番組Ｃが自動的に消去されるので、番組Ｃの消去により空いたＨＤ３０Ａのスペースを有効利用できる。従って、ＨＤ３０Ａの記憶管理が一層容易になり、ユーザの使い勝手を一層向上させることができる。
【図面の簡単な説明】
【００５４】
【図１】本発明の実施形態であるＨＤ付きＤＶＤレコーダの構成を示すブロック図
【図２】ＨＤ３０Ａに録画されたテレビ番組の内容を示す図
【図３】本発明の実施形態であるＨＤ付きＤＶＤレコーダの制御部の動作を示すフローチャート
【図４】連続番組ＣをＨＤ３０ＡからＤＶＤ１００にダビングした様子を示す図
【符号の説明】
【００５５】
１−ＤＶＤレコーダ
２−制御部
２０−光ディスクドライブ
３０−ＨＤＤ
３０A−ＨＤ
４０−データプロセッサ
１００−ＤＶＤ
１０２−チューナ
１０３−エンコーダ
１０４−記録再生部
１０６−デコーダ
１０７−出力部
１０８−ＯＳＤ生成部
１０９−ＡＶ出力端子
１１０−受信部
１１１−記憶部
２００−リモコン
３００−テレビジョン
【図１】
2009026433.tif 000003
【図２】
2009026433.tif 000004
【図３】
2009026433.tif 000005
【図４】
2009026433.tif 000006